【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
透明支持体の一方面にレンズ層を有すると共に他方面に画像を記録する受像層を有し、所定サイズのシートに形成された立体画像用印画シートの製造方法において、
前記立体画像用印画シートの原反を、
前記レンズ層を形成するレンズ層形成工程及び前記受像層を形成する受像層形成工程に加えて、
帯状の透明な汎用樹脂フィルムをドライラミ用接着剤で複数枚貼り合わせて前記透明支持体を厚手化する貼合工程と、
前記貼合工程の後に少なくとも設けられ、前記透明支持体をロール状に巻回して巻回ロールを形成する巻取工程と、を少なくとも行うことによって形成し、
前記形成した立体画像用印画シート原反を打抜工程によって前記所定サイズのシートに打ち抜くと共に、前記貼合工程におけるドライラミ用接着剤の固化反応が完了するまでに前記打抜工程を終了させることを特徴とする立体画像用印画シートの製造方法。
【請求項２】
前記透明支持体の厚みを厚手化することによって、前記立体画像用印画シートの厚みを４００μｍ以上にすることを特徴とする請求項１に記載の立体画像用印画シートの製造方法。
【請求項３】
前記貼合工程後は前記透明支持体を１５℃以下で冷却する冷却工程を備えると共に、貼合工程後８日以内に前記打抜工程を行うことを特徴とする請求項１又は２に記載の立体画像用印画シートの製造方法。
【請求項４】
前記冷却工程は、前記巻回ロールを１５℃以下の保管室で保管する工程であることを特徴とする請求項３に記載の立体画像用印画シートの製造方法。
【請求項５】
前記貼合工程、レンズ層形成工程、受像層形成工程のうち、前記貼合工程を最後に行うことを特徴とする請求項１〜４の何れかに記載の立体画像用印画シートの製造方法。
【請求項６】
前記受像層と前記透明支持体との間に、ポリエステル樹脂、変性ポリオレフィン樹脂、ポリカーボネート樹脂、ポリスチレン樹脂、及びポリエチレン樹脂から選択された硬質性樹脂層を形成する樹脂層形成工程を備えたことを特徴とする請求項１〜５の何れかに記載の立体画像用印画シートの製造方法。
【請求項７】
透明支持体の一方面にレンズ層を有すると共に他方面に画像を記録する受像層を有し、所定サイズのシートに形成された立体画像用印画シートにおいて、
前記シートは、該シートの厚みが４００μｍ以上になるように透明な汎用樹脂フィルムをドライラミ用接着剤で複数枚貼り合わせて前記透明支持体を厚手化していると共に、前記シートのカール量が４ｍｍ以下であることを特徴とする立体画像用印画シート。
【請求項８】
前記受像層と前記透明支持体との間には、ポリエステル樹脂、変性ポリオレフィン樹脂、ポリカーボネート樹脂、ポリスチレン樹脂、及びポリエチレン樹脂から選択された硬質性樹脂層が介在されていることを特徴とする請求項７に記載の立体画像用印画シート。
【手続補正２】
【補正対象書類名】明細書
【補正対象項目名】００１３
【補正方法】変更
【補正の内容】
【００１３】
前記目的を達成するために、本発明の立体画像用印画シートの製造方法は、透明支持体の一方面にレンズ層を有すると共に他方面に画像を記録する受像層を有し、所定サイズのシートに形成された立体画像用印画シートの製造方法において、前記立体画像用印画シートの原反を、前記レンズ層を形成するレンズ層形成工程及び前記受像層を形成する受像層形成工程に加えて、帯状の透明な汎用樹脂フィルムをドライラミ用接着剤で複数枚貼り合わせて前記透明支持体を厚手化する貼合工程と、前記貼合工程の後に少なくとも設けられ、前記透明支持体をロール状に巻回して巻回ロールを形成する巻取工程と、を少なくとも行うことによって形成し、前記形成した立体画像用印画シート原反を打抜工程によって前記所定サイズのシートに打ち抜くと共に、前記貼合工程におけるドライラミ用接着剤の固化反応が完了するまでに前記打抜工程を終了させることを特徴とする。  
【手続補正３】
【補正対象書類名】明細書
【補正対象項目名】００１５
【補正方法】変更
【補正の内容】
【００１５】
本発明によれば、レンズ層形成工程、受像層形成工程、貼合工程及び巻取工程を経て形成した立体画像用印画シート原反を、打抜工程によって所定サイズのシートに打ち抜くと共に、貼合工程におけるドライラミ用接着剤の固化反応が完了するまでに打抜工程を終了させるようにした。
【手続補正４】
【補正対象書類名】明細書
【補正対象項目名】００１９
【補正方法】変更
【補正の内容】
【００１９】
この場合、レンズ層形成工程、受像層形成工程、貼合工程は、どの順番に行ってもよい。したがって、貼合工程の前にレンズ層形成工程や受像層形成工程が設けられる場合には、汎用樹脂フィルムにレンズ層や受像層が形成されることになる。また、巻取工程が貼合工程の後に少なくとも設けられるとは、レンズ層形成工程、受像層形成工程、貼合工程の各工程の後にそれぞれ巻取工程を有してもよく、少なくとも貼合工程の後で透明支持体が巻き取られる工程があればよい。
【手続補正５】
【補正対象書類名】明細書
【補正対象項目名】００２７
【補正方法】変更
【補正の内容】
【００２７】
本発明の製造方法においては、前記貼合工程、レンズ層形成工程、受像層形成工程のうち、前記貼合工程を最後に行うことが好ましい。
【手続補正６】
【補正対象書類名】明細書
【補正対象項目名】００３５
【補正方法】変更
【補正の内容】
【００３５】
【図１】立体画像用印画シートの層構成を示す図。
【図２】立体画像用印画シートの製造方法における各種工程順を説明する説明図。
【図３】貼合工程の装置構成を説明する概略構成図。
【図４】レンズ層形成工程の装置構成を説明する概略構成図。
【図５】樹脂層形成工程の装置構成を説明する概略構成図。
【図６】受像層形成工程の装置構成を説明する概略構成図。
【図７】打抜工程の装置構成を説明する概略構成図。
【手続補正７】
【補正対象書類名】明細書
【補正対象項目名】００５５
【補正方法】変更
【補正の内容】
【００５５】
立体画像用印画シート１０の製造方法は、貼合工程と、レンズ層形成工程と、受像層形成工程と、樹脂層形成工程と、巻取工程と、の各工程によって立体画像用印画シート原反１０Ａを形成し、形成した立体画像用印画シート原反１０Ａを打抜工程によって所定サイズのシートに打ち抜くと共に、貼合工程におけるドライラミ用接着剤１２Ｃの固化反応が完了するまでに打抜工程を終了させるように構成される。
【手続補正８】
【補正対象書類名】明細書
【補正対象項目名】００８３
【補正方法】変更
【補正の内容】
【００８３】
なお、上記説明は、貼合工程の後にレンズ層形成工程を行う場合であるが、貼合工程の前にレンズ層形成工程を行う場合には、送出装置４８からは汎用樹脂フィルム１２Ａが送りだされ、汎用樹脂フィルム１２Ａの表面にレンズ層１４が形成されることになる。
【手続補正９】
【補正対象書類名】明細書
【補正対象項目名】００９９
【補正方法】変更
【補正の内容】
【００９９】
そして、上記貼合工程と、レンズ層形成工程と、受像層形成工程と、樹脂層形成工程と、巻取工程と、の各工程を経ることによって立体画像用印画シート原反１０Ａが形成される。そして、貼合工程で使用したドライラミ用接着剤１２Ｃの固化反応が完了する前に次の打抜工程によって、立体画像用印画シート原反１０Ａを所定サイズに打ち抜く。